(57)【要約】【課題】補強部材を用いたり、ウェブを増厚することなく、貫通孔の補強が可能な低コストの梁部材用形鋼および貫通孔の形成方法を提供する。【解決手段】上下フランジ１２、１４と、この上下フランジ１２、１４を連結し、貫通孔１８が開けられたウェブ１６とを備える梁部材用の形鋼であって、貫通孔１８は、ウェブ１６に設けた開口の周囲を円筒状に塑性変形させる塑性加工により、開口の内径を拡径するとともに、ウェブ１６と直交する一方向にフランジ２０を突出するように形成される。【選択図】図１
2016079752.tif 000002
【特許請求の範囲】
【請求項１】
上下フランジと、この上下フランジを連結し、貫通孔が開けられたウェブとを備える梁部材用の形鋼であって、
前記貫通孔は、前記ウェブに設けた開口の周囲を円筒状に塑性変形させる塑性加工により、前記開口の内径を拡径するとともに、前記ウェブと直交する一方向にフランジを突出するように形成されることを特徴とする梁部材用形鋼。
【請求項２】
上下フランジと、この上下フランジを連結し、貫通孔が開けられたウェブとを備える梁部材用の形鋼であって、
前記貫通孔は、前記ウェブの一部を有蓋円筒状に塑性変形させる塑性加工によって形成した突出部の蓋部分を打ち抜くことで、前記ウェブと直交する一方向にフランジを突出するように形成されることを特徴とする梁部材用形鋼。
【請求項３】
前記貫通孔の内径寸法と略同じ外径寸法の円筒部材を前記貫通孔に挿通配置し、前記貫通孔に形成した前記フランジと前記円筒部材とを、前記フランジに設けた固定用貫通穴に挿通した固定治具で固定したことを特徴とする請求項１または２に記載の梁部材用形鋼。
【請求項４】
前記貫通孔の内径寸法と略同じ外径寸法の円筒部材を前記貫通孔に挿通配置し、前記貫通孔に形成した前記フランジと前記円筒部材とを、前記フランジの内面および前記円筒部材の外面にそれぞれ形成した溝同士を係合して固定したことを特徴とする請求項１〜３のいずれか一つに記載の梁部材用形鋼。
【請求項５】
前記貫通孔の内径寸法と略同じ外径寸法の円筒部材を前記貫通孔に挿通配置し、前記円筒部材の外面または端部に設けた爪状部を、前記貫通孔に形成した前記フランジの先端に嵌合したことを特徴とする請求項１〜４のいずれか一つに記載の梁部材用形鋼。
【請求項６】
上下フランジと、この上下フランジを連結するウェブとを備える梁部材用の形鋼の前記ウェブに対して貫通孔を形成する方法であって、
前記ウェブに設けた開口の周囲を円筒状に塑性変形させる塑性加工により、前記開口の内径を拡径するとともに、前記ウェブと直交する一方向にフランジを突出するように形成して、前記貫通孔を形成することを特徴とする貫通孔の形成方法。
【請求項７】
上下フランジと、この上下フランジを連結するウェブとを備える梁部材用の形鋼の前記ウェブに対して貫通孔を形成する方法であって、
前記ウェブの一部を有蓋円筒状に塑性変形させる塑性加工によって形成した突出部の蓋部分を打ち抜くことで、前記ウェブと直交する一方向にフランジを突出するように形成して、前記貫通孔を形成することを特徴とする貫通孔の形成方法。
【発明の詳細な説明】
【技術分野】
【０００１】
本発明は、建築構造物の設備用配管を挿通するための貫通孔が開けられた梁部材用形鋼およびこの貫通孔の形成方法に関するものである。
【背景技術】
【０００２】
従来、建築構造物における鋼製梁のウェブには、設備用配管を挿通するための貫通孔（開口部）が設けられており、この貫通孔には必要に応じて補強処理が施される。この貫通孔は通常、梁ウェブの高さ方向中央位置に設けられるため、曲げモーメントによるこの部分の圧縮応力や引張応力は小さく、曲げ強度の低下は大きくない。しかしながら、この部分はせん断応力が大きく作用する箇所であることから、貫通孔は梁のせん断耐力に影響を与える。すなわち、梁にせん断力が作用すると貫通孔がせん断力によって変形するため、そのせん断耐力の低下分の補強が必要である。
【０００３】
貫通孔に対する従来の補強方法としては、例えば非特許文献１に記載の図８、図９にあるように、梁ウェブ部材の板厚を部分的に厚くする方法や、補強部材を別途取り付ける方法が知られている。
【０００４】
また、こうした従来の補強方法を改善する技術として、鋼製梁に対する補強部材の固着作業における作業性がよく、より少ない材料で貫通孔に対する十分な補強作用を確保し得る効率的な補強技術が提案されている（例えば、特許文献１を参照）。また、溶接する手間を省いて作業性を向上し、かつ簡便な構造で実現することのできる鋼材への補強用スリーブの取り付け構造が提案されている（例えば、特許文献２を参照）。
【０００５】
特許文献１に記載の構造は、鋼製梁に形成される貫通孔とほぼ同形の開口部を有し、かつ（１）０．１５≦Ａｒ／Ａｗ≦０．７、（２）０．６≦Ｖｒ／Ｖｗ≦３．３、（３）０．５≦Ｈｒ／Ｔｒ≦５．０の３つの条件（Ａｒは補強部材の断面積、Ａｗは貫通孔によるウェブの欠損部の断面積、Ｖｒは補強部材の体積、Ｖｗは貫通孔によるウェブの欠損部の体積、Ｈｒは補強部材の高さ、Ｔｒは補強部材の肉厚）を満たす矩形断面からなるリング状の補強部材を用い、この補強部材を貫通孔の周辺部のウェブの片面に溶接して一体化することにより、鋼製梁に形成する貫通孔を補強するものである。
【０００６】
特許文献２に記載の構造は、鋼製梁のウェブの挿通孔（貫通孔）に補強用スリーブを配するものである。この補強用スリーブは、スリーブ本体と、これに一体的に形成される一対のフランジとからなる。各フランジは、スリーブ本体の軸線方向中央部付近に、スリーブ本体が挿通孔に挿入された状態で、挿通孔を形成する内周面より直径外方向へ向けて膨出するようにかしめ形成される。各フランジ間に挿通孔の周縁部が挟まれることによって、補強用スリーブが梁に固着される。
【０００７】
また、工業化住宅では、任意の配管ルートが形成できるように、予め所定の間隔、大きさで貫通孔が複数設けられている梁部材を用いることがある。この場合、部材点数の削減、溶接手間の削減の観点から、ウェブ貫通孔による強度低下を考慮して、梁部材のウェブ板厚全体を厚くして、貫通孔補強を省略することがある。
【先行技術文献】
【非特許文献】
【０００８】
【非特許文献１】長尾直治、設備技術者のための建築構造入門（２）躯体貫通と構造補強、空気調和・衛生工学第８１巻第３号、ｐｐ．２１９−２２７
【特許文献】
【０００９】
【特許文献１】特開２００７−１６２２４３号公報
【特許文献２】特開平８−４９３４７号公報
【発明の概要】
【発明が解決しようとする課題】
【００１０】
ところで、上記の非特許文献１に例示される従来の補強方法では、ウェブ貫通孔の穴あけ工程に加えて、溶接により補強部材を取り付けるため、部品点数の増加、溶接手間が増大する問題がある。
【００１１】
また、上記の特許文献１に示される技術では、貫通孔補強面を片面として部材点数を削減しているが、依然として溶接作業が必要であり、熱ひずみの問題や、予め塗装やめっきをした材料を使用した場合には、溶接後に別途、塗装やめっきの補修が必要になるといった問題がある。
【００１２】
また、上記の特許文献２に示される技術では、補強用スリーブのフランジをかしめて接合することで溶接作業を省略しているが、特殊なフランジを有する補強用スリーブが必須になるといった問題がある。
【００１３】
また、上記の工業化住宅の梁部材で採用されるウェブ板厚全体を厚くする方法は、部材のコスト削減が図りにくいという問題がある。
【００１４】
本発明は、上記に鑑みてなされたものであって、補強部材を用いたり、ウェブを増厚することなく、貫通孔の補強が可能な低コストの梁部材用形鋼および貫通孔の形成方法を提供することを目的とする。
【課題を解決するための手段】
【００１５】
上記した課題を解決し、目的を達成するために、本発明に係る梁部材用形鋼は、上下フランジと、この上下フランジを連結し、貫通孔が開けられたウェブとを備える梁部材用の形鋼であって、前記貫通孔は、前記ウェブに設けた開口の周囲を円筒状に塑性変形させる塑性加工により、前記開口の内径を拡径するとともに、前記ウェブと直交する一方向にフランジを突出するように形成されることを特徴とする。
【００１６】
また、本発明に係る他の梁部材用形鋼は、上下フランジと、この上下フランジを連結し、貫通孔が開けられたウェブとを備える梁部材用の形鋼であって、前記貫通孔は、前記ウェブの一部を有蓋円筒状に塑性変形させる塑性加工によって形成した突出部の蓋部分を打ち抜くことで、前記ウェブと直交する一方向にフランジを突出するように形成されることを特徴とする。
【００１７】
また、本発明に係る他の梁部材用形鋼は、上述した発明において、前記貫通孔の内径寸法と略同じ外径寸法の円筒部材を前記貫通孔に挿通配置し、前記貫通孔に形成した前記フランジと前記円筒部材とを、前記フランジに設けた固定用貫通穴に挿通した固定治具で固定したことを特徴とする。
【００１８】
また、本発明に係る他の梁部材用形鋼は、上述した発明において、前記貫通孔の内径寸法と略同じ外径寸法の円筒部材を前記貫通孔に挿通配置し、前記貫通孔に形成した前記フランジと前記円筒部材とを、前記フランジの内面および前記円筒部材の外面にそれぞれ形成した溝同士を係合して固定したことを特徴とする。
【００１９】
また、本発明に係る他の梁部材用形鋼は、上述した発明において、前記貫通孔の内径寸法と略同じ外径寸法の円筒部材を前記貫通孔に挿通配置し、前記円筒部材の外面または端部に設けた爪状部を、前記貫通孔に形成した前記フランジの先端に嵌合したことを特徴とする。
【００２０】
また、本発明に係る貫通孔の形成方法は、上下フランジと、この上下フランジを連結するウェブとを備える梁部材用の形鋼の前記ウェブに対して貫通孔を形成する方法であって、前記ウェブに設けた開口の周囲を円筒状に塑性変形させる塑性加工により、前記開口の内径を拡径するとともに、前記ウェブと直交する一方向にフランジを突出するように形成して、前記貫通孔を形成することを特徴とする。
【００２１】
また、本発明に係る他の貫通孔の形成方法は、上下フランジと、この上下フランジを連結するウェブとを備える梁部材用の形鋼の前記ウェブに対して貫通孔を形成する方法であって、前記ウェブの一部を有蓋円筒状に塑性変形させる塑性加工によって形成した突出部の蓋部分を打ち抜くことで、前記ウェブと直交する一方向にフランジを突出するように形成して、前記貫通孔を形成することを特徴とする。
【発明の効果】
【００２２】
本発明に係る梁部材用形鋼によれば、上下フランジと、この上下フランジを連結し、貫通孔が開けられたウェブとを備える梁部材用の形鋼であって、前記貫通孔は、前記ウェブに設けた開口の周囲を円筒状に塑性変形させる塑性加工により、前記開口の内径を拡径するとともに、前記ウェブと直交する一方向にフランジを突出するように形成されるので、ウェブ板厚の増大や補強部材の付加を省略しても、梁部材にせん断力が作用した際の貫通孔の変形を抑制することができ、この結果、部材数の削減や製作工数の削減によるコスト低減を図ることができるという効果を奏する。したがって、補強部材を用いたりウェブを増厚することなく、貫通孔の補強が可能な低コストの梁部材用形鋼を提供することができる。また、この貫通孔は、溶接や特殊な現場加工をすることなく容易に補強部材を取り付け可能な構造であることから、工場や建設現場で補強部材を貫通孔に取り付けることで、この部分の強度をさらに向上することもできる。
【００２３】
また、本発明に係る他の梁部材用形鋼によれば、上下フランジと、この上下フランジを連結し、貫通孔が開けられたウェブとを備える梁部材用の形鋼であって、前記貫通孔は、前記ウェブの一部を有蓋円筒状に塑性変形させる塑性加工によって形成した突出部の蓋部分を打ち抜くことで、前記ウェブと直交する一方向にフランジを突出するように形成されるので、ウェブ板厚の増大や補強部材の付加を省略しても、梁部材にせん断力が作用した際の貫通孔の変形を抑制することができ、この結果、部材数の削減や製作工数の削減によるコスト低減を図ることができるという効果を奏する。したがって、補強部材を用いたりウェブを増厚することなく、貫通孔の補強が可能な低コストの梁部材用形鋼を提供することができる。また、この貫通孔は、溶接や特殊な現場加工をすることなく容易に補強部材を取り付け可能な構造であることから、工場や建設現場で補強部材を貫通孔に取り付けることで、この部分の強度をさらに向上することもできる。
【００２４】
また、本発明に係る他の梁部材用形鋼によれば、前記貫通孔の内径寸法と略同じ外径寸法の円筒部材を前記貫通孔に挿通配置し、前記貫通孔に形成した前記フランジと前記円筒部材とを、前記フランジに設けた固定用貫通穴に挿通した固定治具で固定したので、フランジと円筒部材とを容易に固定することができるという効果を奏する。また、貫通孔に挿通配置した円筒部材によって、梁部材に対する耐火被覆工事の際に貫通孔の形状を保持することができる。さらに、円筒部材を厚肉化および高強度化してフランジに接合固定すれば、貫通孔の強度をより高めることができる。
【００２５】
また、本発明に係る他の梁部材用形鋼によれば、前記貫通孔の内径寸法と略同じ外径寸法の円筒部材を前記貫通孔に挿通配置し、前記貫通孔に形成した前記フランジと前記円筒部材とを、前記フランジの内面および前記円筒部材の外面にそれぞれ形成した溝同士を係合して固定したので、フランジと円筒部材とをより容易に固定することができるという効果を奏する。特に、溝同士を係合することで簡単に強固な補強構造を得ることができる。
【００２６】
また、本発明に係る他の梁部材用形鋼によれば、前記貫通孔の内径寸法と略同じ外径寸法の円筒部材を前記貫通孔に挿通配置し、前記円筒部材の外面または端部に設けた爪状部を、前記貫通孔に形成した前記フランジの先端に嵌合したので、貫通孔に挿通配置する円筒部材の位置決め固定が容易になるという効果を奏する。
【００２７】
また、本発明に係る貫通孔の形成方法によれば、上下フランジと、この上下フランジを連結するウェブとを備える梁部材用の形鋼の前記ウェブに対して貫通孔を形成する方法であって、前記ウェブに設けた開口の周囲を円筒状に塑性変形させる塑性加工により、前記開口の内径を拡径するとともに、前記ウェブと直交する一方向にフランジを突出するように形成して、前記貫通孔を形成するので、ウェブ板厚の増大や補強部材の付加を省略しても、梁部材にせん断力が作用した際の貫通孔の変形を抑制することができ、この結果、部材数の削減や製作工数の削減によるコスト低減を図ることができるという効果を奏する。
【００２８】
また、本発明に係る他の貫通孔の形成方法によれば、上下フランジと、この上下フランジを連結するウェブとを備える梁部材用の形鋼の前記ウェブに対して貫通孔を形成する方法であって、前記ウェブの一部を有蓋円筒状に塑性変形させる塑性加工によって形成した突出部の蓋部分を打ち抜くことで、前記ウェブと直交する一方向にフランジを突出するように形成して、前記貫通孔を形成するので、ウェブ板厚の増大や補強部材の付加を省略しても、梁部材にせん断力が作用した際の貫通孔の変形を抑制することができ、この結果、部材数の削減や製作工数の削減によるコスト低減を図ることができるという効果を奏する。
【図面の簡単な説明】
【００２９】
【図１】図１は、本発明の実施の形態１に係る梁部材用形鋼を示す貫通孔の断面図である。
【図２】図２は、本発明の実施の形態１に係る貫通孔の形成方法を示す断面図であり、（ａ）は第一工程において先孔を形成した状態を示す図、（ｂ）は第二工程において先孔を拡径しフランジを形成する状態を示す図、（ｃ）は貫通孔の形成が終了した状態を示す図である。
【図３】図３は、本発明の実施の形態２に係る貫通孔の形成方法を示す断面図であり、（ａ）は第一工程においてウェブに突出部を形成した状態を示す図、（ｂ）は第二工程において蓋部分を打ち抜いた状態を示す図である。
【図４】図４は、本発明の実施の形態３に係る梁部材用形鋼を示す貫通孔の断面図である。
【図５】図５は、本発明の実施の形態４に係る梁部材用形鋼を示す貫通孔の断面図である。
【図６】図６は、本発明の実施の形態５に係る梁部材用形鋼を示す貫通孔の断面図である。
【発明を実施するための形態】
【００３０】
以下に、本発明に係る梁部材用形鋼および貫通孔の形成方法の実施の形態を図面に基づいて詳細に説明する。なお、この実施の形態によりこの発明が限定されるものではない。
【００３１】
［実施の形態１］
まず、本発明の実施の形態１について説明する。
図１に示すように、本実施の形態１の梁部材用形鋼１００は、上フランジ１２および下フランジ１４と、これら上下フランジ１２、１４を連結するウェブ１６とを備える梁部材用のＨ形鋼（鉄骨梁）である。ウェブ１６には、設備用配管を挿通するための貫通孔１８が開けられている。
【００３２】
貫通孔１８は、ウェブ１６に設けた開口の周囲を円筒状に塑性変形させる塑性加工により、開口の内径を拡径するとともに、ウェブ１６と直交する一方向に円筒状のフランジ２０を突出するように形成されている。
【００３３】
本実施の形態１の梁部材用形鋼１００によれば、ウェブ１６の板厚の増大や補強部材の付加を省略しても、梁部材にせん断力が作用した際の貫通孔１８の変形を抑制することができ、この結果、部材数の削減や製作工数の削減によるコスト低減を図ることができるという効果を奏する。したがって、補強部材を用いたりウェブを増厚することなく、貫通孔の補強が可能な低コストの梁部材用形鋼を提供することができる。また、この貫通孔は、溶接や特殊な現場加工をすることなく容易に補強部材を取り付け可能な構造であることから、工場や建設現場で補強部材を貫通孔に取り付けることで、この部分の強度をさらに向上することもできる。
【００３４】
次に、本実施の形態１の貫通孔の形成方法について説明する。
まず、図２（ａ）に示す第一工程において、貫通孔１８の先孔として、パンチングで円形の開口２２をウェブ１６に設ける。ここで、円形の開口２２の開口径は最終的に得たい貫通孔１８の開口径の１／２．５より大きな径とする。次いで、図２（ｂ）に示す第二工程において、フランジ２０を突出させる側に円柱状の凹部２４を有する凹型の金型２６を配置し、その反対側から先端部分が先細りの曲面形状で胴部分が円柱状の凸型の金型２８を回転させながら開口２２に押し付けて凹型の金型２６の凹部２４に挿し入れ、開口２２の周囲を円筒状に塑性変形させるバーリング加工（塑性加工）を行う。ここで、凹型の金型２６と凸型の金型２８は、ウェブ１６の板厚に応じた必要なクリアランスをとっている。最後に、図２（ｃ）に示すように、フランジ２０の立ち上がり加工を行う。
【００３５】
このようにすることで、先孔である開口２２の内径を拡径するとともに、その全周にわたってウェブ１６と直交する一方向にフランジ２０を突出するように形成して、貫通孔１８を形成することができる。形成されたフランジ２０が貫通孔１８を補強することで、貫通孔１８を設けたことによるウェブ１６のせん断耐力低下を抑制することができる。
【００３６】
また、梁部材を構成する鋼材は、例えば引張強度４００ＭＰａクラスの一般構造用でもよいが、深絞り性の評価指標であるランクフォード値（以下、ｒ値という。）、伸びフランジ性の評価指標である穴拡げ率（以下、λという。）は、大きいほどよく、例えば、ｒ値平均≧１．２、λ≧８０％を有する深絞り性および伸びフランジ性に優れた高強度溶融亜鉛めっき鋼板を使用すると、溶接を行わないメリットをさらに活かすことができる。
【００３７】
本実施の形態１の貫通孔の形成方法によれば、ウェブ１６の板厚の増大や補強部材の付加を省略しても、梁部材にせん断力が作用した際の貫通孔１８の変形を抑制することができ、この結果、部材数の削減や製作工数の削減によるコスト低減を図ることができるという効果を奏する。
【００３８】
なお、本実施の形態１においては、梁部材用形鋼１００がＨ形鋼で構成される場合について説明したが、本発明はこれに限るものではなく、Ｈ形鋼の代わりに例えば溝形鋼で構成してもよく、いずれにしても本発明と同一の作用効果を奏することができる。
【００３９】
［実施の形態２］
次に、本発明の実施の形態２について説明する。
図３（ｂ）に示すように、本実施の形態２の梁部材用形鋼２００は、上フランジ１２および下フランジ１４と、これら上下フランジ１２、１４を連結するウェブ１６とを備える梁部材用のＨ形鋼（鉄骨梁）である。ウェブ１６には、設備用配管を挿通するための貫通孔１８が開けられている。
【００４０】
貫通孔１８は、図３（ａ）に示すように、ウェブ１６の一部を有蓋円筒状に塑性変形させる塑性加工によって形成した突出部３０の蓋部分３２を打ち抜くことで、図３（ｂ）に示すように、ウェブ１６と直交する一方向に円筒状のフランジ３４を突出するように形成されている。
【００４１】
本実施の形態２の梁部材用形鋼２００によれば、ウェブ１６の板厚の増大や補強部材の付加を省略しても、梁部材にせん断力が作用した際の貫通孔１８の変形を抑制することができ、この結果、部材数の削減や製作工数の削減によるコスト低減を図ることができるという効果を奏する。したがって、補強部材を用いたりウェブを増厚することなく、貫通孔の補強が可能な低コストの梁部材用形鋼を提供することができる。また、この貫通孔は、溶接や特殊な現場加工をすることなく容易に補強部材を取り付け可能な構造であることから、工場や建設現場で補強部材を貫通孔に取り付けることで、この部分の強度をさらに向上することもできる。
【００４２】
次に、本実施の形態２の貫通孔の形成方法について説明する。
まず、図３（ａ）に示す第一工程において、図示しない一対の円形のプレス金型をウェブ１６の両面に配置し、プレス加工（塑性加工）によってウェブ１６に有蓋円筒状の突出部３０を形成する。ここで、突出部３０の先端に形成する蓋部分３２は、貫通孔１８に相当する大きさでウェブ１６と平行な平面状に形成する。次に、図３（ｂ）に示す第二工程において、突出部３０の先端の蓋部分３２を円形に打ち抜き貫通孔１８を形成する。この第二工程については第一工程と同時に行ってもよい。すなわち、第一工程のプレス加工の際に有蓋円筒状の突出部３０を形成すると同時に蓋部分３２を打ち抜いてもよい。
【００４３】
このように、ウェブ１６の一部を有蓋円筒状に塑性変形させるプレス加工によって形成した突出部３０の蓋部分３２を打ち抜くことで、ウェブ１６と直交する一方向にフランジ３４を突出するように形成して、貫通孔１８を形成することができる。形成されたフランジ３４が貫通孔１８を補強することで、貫通孔１８を設けたことによるウェブ１６のせん断耐力低下を抑制することができる。
【００４４】
本実施の形態２の貫通孔の形成方法によれば、ウェブ１６の板厚の増大や補強部材の付加を省略しても、梁部材にせん断力が作用した際の貫通孔１８の変形を抑制することができ、この結果、部材数の削減や製作工数の削減によるコスト低減を図ることができるという効果を奏する。
【００４５】
なお、本実施の形態２においては、梁部材用形鋼２００がＨ形鋼で構成される場合について説明したが、本発明はこれに限るものではなく、Ｈ形鋼の代わりに例えば溝形鋼で構成してもよく、いずれにしても本発明と同一の作用効果を奏することができる。
【００４６】
［実施の形態３］
次に、本発明の実施の形態３について説明する。
図４に示すように、本実施の形態３の梁部材用形鋼３００は、上記の実施の形態１または２において、貫通孔１８の内径寸法と略同じ外径寸法の円筒部材３６を貫通孔１８に挿通配置したものである。貫通孔１８に形成した円筒状のフランジ３８（上記の実施の形態１のフランジ２０、実施の形態２のフランジ３４に相当）と円筒部材３６は、フランジ３８に設けた固定用貫通穴４０に挿通した固定治具４２で固定してある。
【００４７】
ここで、円筒部材３６としては、その長さを上下フランジ１２、１４の幅以下の長さとし、その外形寸法を貫通孔１８の内径寸法と略同じにした鋼管で構成することができる。円筒部材３６の長さ方向の中心がウェブ１６の位置になるように配置する。固定用貫通穴４０の内面にねじを切ってボルトを固定治具４２として締め込み、このボルト先端の支圧で円筒部材３６を固定する。
【００４８】
なお、これに加えて、円筒部材３６において、固定用貫通穴４０に対応する位置に貫通穴を形成し、この貫通穴とフランジ３８の固定用貫通穴４０とにボルトナット、ねじ、かしめリベットなどの機械的固定手段を挿通して互いを固定してもよい。このようにすれば、フランジ３８と円筒部材３６の固定を容易に行うことができる。また、補強効果を高めるために、固定用貫通穴４０による固定箇所を増やして強固に固定してもよい。
【００４９】
本実施の形態３の梁部材用形鋼３００によれば、上記の実施の形態１または２に記載の効果に加え、フランジ３８と円筒部材３６とを容易に固定することができるという効果を奏する。また、貫通孔１８に挿通固定した円筒部材３６によって、梁部材に対する耐火被覆工事の際に貫通孔１８を適正な形状に保持することができる。これによれば、耐火被覆材を吹き付けてもウェブ１６の貫通孔１８は所定の寸法を維持するので、後工程において貫通孔１８に配管類を挿通する配管工事の作業管理が容易となる。
【００５０】
なお、円筒部材３６としては例えば薄鋼管を用いることができるが、不燃材であればこれに限るものではなく、例えば窯業系材料など任意の材料を用いて構成してもよい。さらに、円筒部材３６を厚肉化または高強度化してフランジ３８に接合固定すれば、貫通孔１８の強度をより高めることができる。
【００５１】
［実施の形態４］
次に、本発明の実施の形態４について説明する。
図５に示すように、本実施の形態４の梁部材用形鋼４００は、上記の実施の形態１または２において、貫通孔１８の内径寸法と略同じ外径寸法の円筒部材４４を貫通孔１８に挿通配置し、貫通孔１８に形成したフランジ４６（上記の実施の形態１のフランジ２０、実施の形態２のフランジ３４に相当）と円筒部材４４とを、フランジ４６の内周面および円筒部材４４の外周面にそれぞれ形成したねじ溝４６Ａ、４４Ａ（溝）同士を螺合して固定したものである。
【００５２】
円筒部材４４は、その外周面において、少なくとも長さの半分程度までねじ溝４４Ａが形成されており、バーリング加工によって形成したフランジ４６の内周面に形成されたねじ溝４６Ａと螺合している。ねじ溝４４Ａ、４６Ａを円筒部材４４の長さの半分程度としたことで、ねじを締め込んだ状態で円筒部材４４をフランジ４６の所定の位置に位置決め管理することができる。
【００５３】
本実施の形態４の梁部材用形鋼４００によれば、上記の実施の形態１または２に記載の効果に加え、互いの周面に形成したねじ溝４４Ａ、４６Ａ同士を螺合することでフランジ４６と円筒部材４４とをより容易に取り付け固定できるとともに、強固な補強構造を簡単に得ることができる。
【００５４】
なお、上記の実施の形態４において、ねじ溝４４Ａ、４６Ａを形成する代わりに、円筒部材４４の長さ方向に延在する溝を周方向に複数形成してもよい。この場合、円筒部材４４の外周面およびフランジ４６の内周面は長さ方向視で凹凸状の形状を呈する。互いの周面に形成した溝同士を噛み合わせることでフランジ４６と円筒部材４４とをより容易に取り付け固定できるとともに、強固な補強構造を簡単に得ることができる。なお、この溝は例えばプレス加工等によって形成することが可能である。
【００５５】
［実施の形態５］
次に、本発明の実施の形態５について説明する。
図６に示すように、本実施の形態５の梁部材用形鋼５００は、上記の実施の形態１または２において、貫通孔１８の内径寸法と略同じ外径寸法の円筒部材４８を貫通孔１８に挿通配置し、円筒部材４８の先端（端部）の全周を径方向外側に折り返して形成したキャップ部４８Ａ（爪状部）を、貫通孔１８に形成したフランジ５０（上記の実施の形態１のフランジ２０、実施の形態２のフランジ３４に相当）の先端５０Ａに嵌合したものである。
【００５６】
本実施の形態５の梁部材用形鋼５００によれば、上記の実施の形態１または２に記載の効果に加え、貫通孔１８に挿通配置する円筒部材４８のフランジ５０への位置決め固定が容易になるという効果を奏する。
【００５７】
キャップ部４８Ａは、プレス加工によって円筒部材４８の先端に一体に形成してもよいし、別部材を接合して形成してもよい。なお、キャップ部４８Ａをフランジ５０の先端５０Ａに嵌め込んで、このキャップ部４８Ａとフランジ５０を鋼材のスプリングバックを利用して嵌合可能な態様とするとさらによい。
【００５８】
また、本実施の形態５を上記の実施の形態３や４の構成に適用することもできる。すなわち、上記の実施の形態３において、フランジ３８の固定用貫通穴４０に挿通した固定治具４２で円筒部材３６を固定するとともに、円筒部材３６の先端に形成したキャップ部をフランジ３８の先端に嵌合してもよい。また、上記の実施の形態４において、ねじ溝同士でフランジ４６と円筒部材４４を螺合するとともに、円筒部材４４の先端に形成したキャップ部をフランジ４６の先端に嵌合してもよい。このようにしても、本発明と同一の作用効果を奏することができる。
【００５９】
なお、本実施の形態５においては、キャップ部４８Ａ（爪状部）が円筒部材４８の先端に形成される場合について説明したが、本発明はこれに限るものではなく、円筒部材４８の先端以外の外周面に形成した爪状部をフランジ５０の先端５０Ａに嵌合してもよく、このようにしても本発明と同一の作用効果を奏することができる。
【実施例】
【００６０】
次に、本発明の実施例について説明する。
【００６１】
［実施例１］
まず、本発明の実施例１について説明する。本実施例１は上記の実施の形態１に対応したものである。
【００６２】
図１に示すように、本実施例１の梁部材用形鋼１００は、上フランジ１２および下フランジ１４と、これら上下フランジ１２、１４を連結するウェブ１６とを備える梁部材用のＨ形鋼（鉄骨梁）である。ウェブ１６には貫通孔１８が開けられており、この貫通孔１８は、ウェブ１６に設けた開口の周囲を円筒状に塑性変形させる塑性加工により、円筒状のフランジ２０を突出するように形成されている。
【００６３】
本実施例１の梁部材のサイズは、Ｈ−２５０×１００×４．５×４．５である。貫通孔１８は、内径１２５ｍｍの円形であり、貫通孔１８の全周に形成されるフランジ２０の高さは６２．５ｍｍである。このフランジ２０は、後述するバーリング加工を行ったことにより、厚みが最大３０％程度薄くなっている。
【００６４】
本実施例１の貫通孔の形成方法について説明する。
まず、図２（ａ）に示す第一工程において、貫通孔１８の先孔として、パンチングで直径６２．５ｍｍの円形の開口２２をウェブ１６に設ける。次いで、図２（ｂ）に示す第二工程において、フランジ２０を突出させる側に凹型の金型２６を配置し、その反対側から凸型の金型２８を回転させながら開口２２に押し付けて凹型の金型２６の凹部２４に挿し入れ、開口２２の周囲を円筒状に塑性変形させるバーリング加工（塑性加工）を行う。ここで、凹型の金型２６と凸型の金型２８は、ウェブ１６の板厚に応じた必要なクリアランスをとっている。最後に、図２（ｃ）に示すように、フランジ２０の立ち上がり加工を行う。
【００６５】
このようにすることで、先孔である開口２２の内径を拡径するとともに、その全周にわたってウェブ１６と直交する一方向にフランジ２０を突出するように形成して、貫通孔１８を形成することができる。形成されたフランジ２０が貫通孔１８を補強することで、貫通孔１８を設けたことによるウェブ１６のせん断耐力低下を抑制することができる。
【００６６】
なお、図２（ｂ）に示す第二工程におけるフランジ２０の突出長はおよそ３０ｍｍであるが、これは、開口２２の先孔径と貫通孔１８の仕上げ開口径に応じて、任意に選択することができる。すなわち、仕上げ開口径とフランジ２０の必要突出長から先孔径を決定すればよく、その条件は、先孔径を最終的に得たい貫通孔１８の仕上げ開口径の例えば１／２．５より大きくすることである。先孔径と仕上げ開口径の比率が大きい場合、フランジ２０先端のゆがみや亀裂が発生するおそれがあるが、その部分は切断して仕上げるようにしてもよい。
【００６７】
［実施例２］
次に、本発明の実施例２について説明する。本実施例２は上記の実施の形態２に対応したものである。
【００６８】
図３（ｂ）に示すように、本実施例２の梁部材用形鋼２００は、上フランジ１２および下フランジ１４と、これら上下フランジ１２、１４を連結するウェブ１６とを備える梁部材用のＨ形鋼（鉄骨梁）である。ウェブ１６には貫通孔１８が開けられており、この貫通孔１８は、円筒状のフランジ３４を突出するように形成されている。
【００６９】
本実施例２の梁部材のサイズは、上記の実施例１と同じとしている。貫通孔１８は、内径１２５ｍｍの円形であり、貫通孔１８の全周に形成されるフランジ３４の高さは６２．５ｍｍである。
【００７０】
本実施例２の貫通孔の形成方法について説明する。
まず、図３（ａ）に示す第一工程において、図示しない一対の円形のプレス金型をウェブ１６の両面に配置し、プレス加工（塑性加工）によってウェブ１６に有蓋円筒状の突出部３０を形成する。ここで、突出部３０の先端に形成する蓋部分３２は、貫通孔１８に相当する大きさでウェブ１６と平行な平面状に形成する。次に、図３（ｂ）に示す第二工程において、突出部３０の先端の蓋部分３２を円形に打ち抜き貫通孔１８を形成する。この第二工程については第一工程と同時に行ってもよい。
【００７１】
このように、ウェブ１６の一部を有蓋円筒状に塑性変形させるプレス加工によって形成した突出部３０の蓋部分３２を打ち抜くことで、ウェブ１６と直交する一方向にフランジ３４を突出するように形成して、貫通孔１８を形成することができる。形成されたフランジ３４が貫通孔１８を補強することで、貫通孔１８を設けたことによるウェブ１６のせん断耐力低下を抑制することができる。
【００７２】
梁部材を構成する鋼材としては、例えばｒ値＝１．２、λ＝８０％を有する深絞り性および伸びフランジ性に優れた高強度溶接亜鉛めっき鋼板を使用することができる。こうした鋼材を使用すれば、フランジ３４の突出長を、梁部材の上下フランジ１２、１４の片側の突出長と同じ５０ｍｍ程度にすることが可能である。
【００７３】
［実施例３］
次に、本発明の実施例３について説明する。本実施例３は上記の実施の形態３に対応したものである。
【００７４】
図４に示すように、本実施例３の梁部材用形鋼３００は、上記の実施例１または２において、貫通孔１８の内径寸法と略同じ外径寸法の円筒部材３６を貫通孔１８に挿通配置したものである。貫通孔１８に形成した円筒状のフランジ３８と円筒部材３６は、フランジ３８に設けた固定用貫通穴４０に挿通した固定治具４２で固定してある。
【００７５】
円筒部材３６は、外形１２５ｍｍで、長さは１００ｍｍ、板厚２．３ｍｍの鋼管である。固定用貫通穴４０は、フランジ３８の先端から１５ｍｍの位置の上下２箇所に設けた開口径φ５ｍｍの穴であり、この穴の内面にねじを切ってＭ５のボルトを固定治具４２として締め込み、このボルト先端の支圧で円筒部材３６を固定する。
【００７６】
なお、これに加えて、円筒部材３６において、固定用貫通穴４０に対応する位置に貫通穴を形成し、この貫通穴とフランジ３８の固定用貫通穴４０とにボルトナット、ねじ、かしめリベットなどの機械的固定手段を挿通して互いを固定してもよい。このようにすれば、フランジ３８と円筒部材３６の固定を容易に行うことができる。また、補強効果を高めるために、固定用貫通穴４０による固定箇所を増やして強固に固定してもよい。
【００７７】
本実施例３の梁部材用形鋼３００によれば、上記の実施例１または２に記載の効果に加え、フランジ３８と円筒部材３６とを容易に固定することができるという効果を奏する。また、貫通孔１８に挿通固定した円筒部材３６によって、梁部材に対する耐火被覆工事の際に貫通孔１８を適正な形状に保持することができる。これによれば、耐火被覆材を吹き付けてもウェブ１６の貫通孔１８は所定の寸法を維持するので、後工程において貫通孔１８に配管類を挿通する配管工事の作業管理が容易となる。
【００７８】
以上説明したように、本発明に係る梁部材用形鋼によれば、上下フランジと、この上下フランジを連結し、貫通孔が開けられたウェブとを備える梁部材用の形鋼であって、前記貫通孔は、前記ウェブに設けた開口の周囲を円筒状に塑性変形させる塑性加工により、前記開口の内径を拡径するとともに、前記ウェブと直交する一方向にフランジを突出するように形成されるので、ウェブ板厚の増大や補強部材の付加を省略しても、梁部材にせん断力が作用した際の貫通孔の変形を抑制することができ、この結果、部材数の削減や製作工数の削減によるコスト低減を図ることができる。したがって、補強部材を用いたりウェブを増厚することなく、貫通孔の補強が可能な低コストの梁部材用形鋼を提供することができる。また、この貫通孔は、溶接や特殊な現場加工をすることなく容易に補強部材を取り付け可能な構造であることから、工場や建設現場で補強部材を貫通孔に取り付けることで、この部分の強度をさらに向上することもできる。
【００７９】
また、本発明に係る他の梁部材用形鋼によれば、上下フランジと、この上下フランジを連結し、貫通孔が開けられたウェブとを備える梁部材用の形鋼であって、前記貫通孔は、前記ウェブの一部を有蓋円筒状に塑性変形させる塑性加工によって形成した突出部の蓋部分を打ち抜くことで、前記ウェブと直交する一方向にフランジを突出するように形成されるので、ウェブ板厚の増大や補強部材の付加を省略しても、梁部材にせん断力が作用した際の貫通孔の変形を抑制することができ、この結果、部材数の削減や製作工数の削減によるコスト低減を図ることができる。したがって、補強部材を用いたりウェブを増厚することなく、貫通孔の補強が可能な低コストの梁部材用形鋼を提供することができる。また、この貫通孔は、溶接や特殊な現場加工をすることなく容易に補強部材を取り付け可能な構造であることから、工場や建設現場で補強部材を貫通孔に取り付けることで、この部分の強度をさらに向上することもできる。
【００８０】
また、本発明に係る他の梁部材用形鋼によれば、前記貫通孔の内径寸法と略同じ外径寸法の円筒部材を前記貫通孔に挿通配置し、前記貫通孔に形成した前記フランジと前記円筒部材とを、前記フランジに設けた固定用貫通穴に挿通した固定治具で固定したので、フランジと円筒部材とを容易に固定することができる。また、貫通孔に挿通配置した円筒部材によって、梁部材に対する耐火被覆工事の際に貫通孔の形状を保持することができる。さらに、円筒部材を厚肉化および高強度化してフランジに接合固定すれば、貫通孔の強度をより高めることができる。
【００８１】
また、本発明に係る他の梁部材用形鋼によれば、前記貫通孔の内径寸法と略同じ外径寸法の円筒部材を前記貫通孔に挿通配置し、前記貫通孔に形成した前記フランジと前記円筒部材とを、前記フランジの内面および前記円筒部材の外面にそれぞれ形成した溝同士を係合して固定したので、フランジと円筒部材とをより容易に固定することができる。特に、溝同士を係合することで簡単に強固な補強構造を得ることができる。
【００８２】
また、本発明に係る他の梁部材用形鋼によれば、前記貫通孔の内径寸法と略同じ外径寸法の円筒部材を前記貫通孔に挿通配置し、前記円筒部材の外面または端部に設けた爪状部を、前記貫通孔に形成した前記フランジの先端に嵌合したので、貫通孔に挿通配置する円筒部材の位置決め固定が容易になる。
【００８３】
また、本発明に係る貫通孔の形成方法によれば、上下フランジと、この上下フランジを連結するウェブとを備える梁部材用の形鋼の前記ウェブに対して貫通孔を形成する方法であって、前記ウェブに設けた開口の周囲を円筒状に塑性変形させる塑性加工により、前記開口の内径を拡径するとともに、前記ウェブと直交する一方向にフランジを突出するように形成して、前記貫通孔を形成するので、ウェブ板厚の増大や補強部材の付加を省略しても、梁部材にせん断力が作用した際の貫通孔の変形を抑制することができ、この結果、部材数の削減や製作工数の削減によるコスト低減を図ることができる。
【産業上の利用可能性】
【００８４】
以上のように、本発明に係る梁部材用形鋼および貫通孔の形成方法は、建築構造物の設備用配管を挿通するための貫通孔が開けられた梁部材用形鋼に有用であり、特に、補強部材を用いたり、ウェブを増厚することなく、貫通孔を低コストに補強するのに適している。
【符号の説明】
【００８５】
１００，２００，３００，４００，５００  梁部材用形鋼
１２  上フランジ
１４  下フランジ
１６  ウェブ
１８  貫通孔
２０，３４，３８，４６，５０  フランジ
２２  開口
２４  凹部
２６，２８  金型
３０  突出部
３２  蓋部分
３６，４４，４８  円筒部材
４０  固定用貫通穴
４２  固定治具
４４Ａ，４６Ａ  ねじ溝（溝）
４８Ａ  キャップ部（爪状部）
５０Ａ  先端
【図１】
2016079752.tif 000003
【図２】
2016079752.tif 000004
【図３】
2016079752.tif 000005
【図４】
2016079752.tif 000006
【図５】
2016079752.tif 000007
【図６】
2016079752.tif 000008